(57)【要約】【課題】色ムラを抑制する。【解決手段】バックライト装置１２は、ＬＥＤ１３と、ＬＥＤ１３と重畳するＬＥＤ重畳領域２３とＬＥＤ重畳領域２３の周りに配されるＬＥＤ周辺領域２４とに区分される光透過板２１と、光透過板２１の板面においてＬＥＤ周辺領域２４よりもＬＥＤ重畳領域２３での分布密度が高くなるよう設けられて光の透過率よりも光の反射率が高く且つ少なくとも透過光が特定の色味を帯びる光反射部２２と、ＬＥＤ１３に設けられる呈色部２５であって、ＬＥＤ１３からＬＥＤ周辺領域２４へ向かう光を特定の色味と同色の関係となる色味に呈色させる呈色部２５と、を備える。【選択図】図４
2019121547.tif 000002
【特許請求の範囲】
【請求項１】
光源と、
前記光源と間隔を空けて対向状に配されて光を透過する光透過板と、
前記光透過板の板面に設けられて光の透過率よりも光の反射率が高く且つ少なくとも透過光が特定の色味を帯びる光反射部と、
前記光源及び前記光透過板の少なくとも一方に設けられる呈色部と、を有する照明装置であって、
前記光透過板は、前記光源と重畳する光源重畳領域と前記光源重畳領域の周りに配される光源周辺領域とに区分され、
前記光反射部は、前記光源周辺領域よりも前記光源重畳領域での分布密度が高くなるよう設けられ、
前記呈色部は、前記光源から前記光源重畳領域へ向かう光を前記特定の色味と補色の関係となる色味に呈色させるか、若しくは前記光源から前記光源周辺領域へ向かう光を前記特定の色味と同色または同系色の関係となる色味に呈色させる照明装置。
【請求項２】
前記光源及び前記光透過板の少なくとも一方に設けられる第２の呈色部を有しており、
前記呈色部が前記光源から前記光源周辺領域へ向かう光を前記特定の色味と同色または同系色の関係となる色味に呈色させる場合には、前記第２の呈色部は、前記光源から前記光源重畳領域へ向かう光を前記特定の色味と補色の関係となる色味に呈色させる請求項１記載の照明装置。
【請求項３】
前記光反射部及び前記呈色部は、光の透過率に実質的に同じ波長依存性を有する請求項１または請求項２記載の照明装置。
【請求項４】
前記呈色部は、特定の波長領域の光を選択的に吸収する色素を有する請求項１から請求項３のいずれか１項に記載の照明装置。
【請求項５】
前記呈色部は、特定の波長領域の光を選択的に反射する誘電体多層膜を有する請求項１から請求項３のいずれか１項に記載の照明装置。
【請求項６】
前記呈色部は、前記光源に設けられている請求項１から請求項５のいずれか１項に記載の照明装置。
【請求項７】
前記光源は、主に前記光源重畳領域を指向する光を発するトップ発光面と、主に前記光源周辺領域を指向する光を発するサイド発光面と、を有しており、
前記呈色部は、前記トップ発光面または前記サイド発光面に配される請求項６記載の照明装置。
【請求項８】
前記呈色部は、前記光透過板に設けられている請求項１から請求項５のいずれか１項に記載の照明装置。
【請求項９】
前記呈色部は、前記光透過板において前記光反射部と同じ板面に設けられている請求項８記載の照明装置。
【請求項１０】
前記呈色部は、前記光透過板において前記光反射部の非形成領域に設けられている請求項９記載の照明装置。
【請求項１１】
請求項１から請求項１０のいずれか１項に記載の照明装置と、
前記照明装置から照射される光を利用して画像を表示する表示パネルと、を備える表示装置。
【発明の詳細な説明】
【技術分野】
【０００１】
本発明は、照明装置及び表示装置に関する。
【背景技術】
【０００２】
従来の液晶表示装置に備わる照明装置の一例として、特許文献１に記載のものが挙げられる。特許文献１に記載された照明装置は、光を形成する発光ダイオード、それぞれ光入射面および光出射面を１つずつ有し光を整形する第１の光学素子および第２の光学素子、ならびに、発光ダイオードと第１の光学素子と第２の光学素子とを通って延在する光軸を有する。ここで、第１の光学素子の光出射面は発光ダイオードで形成される光の所定の光成分を第２の光学素子への入射前に意図的に光軸から屈折させ、第２の光学素子の光出射面は当該の光成分を意図的にさらに光軸から屈折させる。
【０００３】
一方、照明装置に用いられる光学シートの一例として、特許文献２に記載のものが挙げられる。特許文献２に記載された光学シートである輝度均斉化シートは、透光性基材の少なくとも片面に、不均一な輝度分布を有する入射光を均斉化して出射できるパターン状に、白色拡散層が印刷により形成されており、該白色拡散層形成部の透過率が、波長４３６ｎｍの光線透過率を１とした場合、波長５４４ｎｍ及び波長６１２ｎｍの光線透過率が０．８〜１．６の範囲内である。
【先行技術文献】
【特許文献】
【０００４】
【特許文献１】特表２００９−５１０７３１号公報
【０００５】
【特許文献２】特開２０１０−１８５９０６号公報
【発明の概要】
【発明が解決しようとする課題】
【０００６】
上記した特許文献１に記載された照明装置に備わる第１の光学素子および第２の光学素子がともに意図的に、有利には光軸から離れる方向へ光を屈折させることにより、照明装置によって照明すべき画面のうち、光源として用いられる発光ダイオードによって照明される領域は、発光ダイオードから画面までの距離が設定されている場合にも、簡単に拡大することができる。一方、上記した特許文献２に記載された輝度均斉化シートは、白色拡散層によって光を拡散反射することで、不均一な輝度分布を有する入射光を均斉化して出射することができる。この白色拡散層は、光反射率が光透過率よりも高くされている。しかしながら、白色拡散層は、使用する材料によっては透過光や反射光が特定の色味を帯びる場合があり、そうなると照明装置の出射光に色ムラが生じることが懸念される。
【０００７】
本発明は上記のような事情に基づいて完成されたものであって、色ムラを抑制することを目的とする。
【課題を解決するための手段】
【０００８】
本発明の照明装置は、光源と、前記光源と間隔を空けて対向状に配されて光を透過する光透過板と、前記光透過板の板面に設けられて光の透過率よりも光の反射率が高く且つ少なくとも透過光が特定の色味を帯びる光反射部と、前記光源及び前記光透過板の少なくとも一方に設けられる呈色部と、を有する照明装置であって、前記光透過板は、前記光源と重畳する光源重畳領域と前記光源重畳領域の周りに配される光源周辺領域とに区分され、前記光反射部は、前記光源周辺領域よりも前記光源重畳領域での分布密度が高くなるよう設けられ、前記呈色部は、前記光源から前記光源重畳領域へ向かう光を前記特定の色味と補色の関係となる色味に呈色させるか、若しくは前記光源から前記光源周辺領域へ向かう光を前記特定の色味と同色または同系色の関係となる色味に呈色させる。
【０００９】
このように、光反射部は、光透過板の板面において光源周辺領域よりも光源重畳領域での分布密度が高くなるよう設けられているので、光源から光源重畳領域へ向かう光の多くが光反射部により反射され、光源重畳領域を透過し難くなっている。一方、光透過板の光源周辺領域では、光源重畳領域よりも光反射部の分布密度が低くなっているので、光源から光源周辺領域へ向かう光や光源重畳領域にて光反射部により反射されて光源周辺領域へ向かう光が光源周辺領域を透過し易くなっている。これにより、光源重畳領域の出射光量と光源周辺領域の出射光量とに差が生じ難くなり、もって輝度ムラが生じ難くなる。
【００１０】
ここで、光反射部は、少なくとも透過光が特定の色味を帯びる特性を有しているため、光透過板の出射光に色ムラが生じるおそれがある。これに対し、光源及び光透過板の少なくとも一方には、光源から光源重畳領域へ向かう光や光源から光源周辺領域へ向かう光を呈色させる呈色部が設けられている。詳しくは、呈色部は、光源から光源重畳領域へ向かう光を特定の色味と補色の関係となる色味に呈色させるか、若しくは光源から光源周辺領域へ向かう光を特定の色味と同色または同系色の関係となる色味に呈色させる。光源から光源重畳領域へ向かう光は、光源重畳領域において高い分布密度で設けられた光反射部を透過する際に特定の色味を帯びることになる。これに対し、光源から光源重畳領域へ向かう光を呈色部により特定の色味と補色の関係となる色味に呈色させるようにすれば、光源重畳領域の出射光が白色化され、もって光源周辺領域の出射光との間に生じ得る色味の差が緩和される。一方、光源周辺領域では光反射部が低い分布密度で設けられるため、光源から光源周辺領域へ向かう光は、光反射部を僅かしか透過せず、光反射部による呈色作用を受け難い傾向にある。これに対し、光源から光源周辺領域へ向かう光を呈色部により特定の色味と同色または同系色の関係となる色味に呈色させるようにすれば、光源周辺領域の出射光と、光源重畳領域において高い分布密度で設けられた光反射部を透過する際に特定の色味を帯びる光源重畳領域の出射光と、の間に生じ得る色味の差が緩和される。以上により、当該照明装置の出射光に色ムラが生じ難くなる。
【発明の効果】
【００１１】
本発明によれば、色ムラを抑制することができる。
【図面の簡単な説明】
【００１２】
【図１】本発明の実施形態１に係る液晶表示装置の断面図
【図２】液晶表示装置に備わるバックライト装置を構成するＬＥＤ基板におけるＬＥＤの平面配置を示す平面図
【図３】バックライト装置を構成する光透過板における光反射部のパターンを示す平面図
【図４】バックライト装置を構成するＬＥＤと光透過板における光反射部とを示す断面図
【図５】ＬＥＤの平面図
【図６】光反射部の分光透過率を表すグラフ
【図７】ＬＥＤの発光スペクトルを表すグラフ
【図８】光反射部の透過スペクトルを表すグラフ
【図９】本発明の実施形態２に係るバックライト装置を構成するＬＥＤと光透過板における光反射部とを示す断面図
【図１０】本発明の実施形態３に係るバックライト装置を構成するＬＥＤと光透過板における光反射部とを示す断面図
【図１１】本発明の実施形態４に係るバックライト装置を構成するＬＥＤと光透過板における光反射部とを示す断面図
【図１２】参考例１に係るバックライト装置を構成するＬＥＤと光透過板における光反射部とを示す断面図
【図１３】参考例２に係るバックライト装置を構成するＬＥＤと光透過板における光反射部とを示す断面図
【図１４】参考例３に係るバックライト装置を構成するＬＥＤと光透過板における光反射部とを示す断面図
【図１５】本発明の実施形態１の変形例に係るバックライト装置を構成するＬＥＤと光透過板における光反射部とを示す断面図
【図１６】参考例１の変形例に係るバックライト装置を構成するＬＥＤと光透過板における光反射部とを示す断面図
【発明を実施するための形態】
【００１３】
＜実施形態１＞
本発明の実施形態１を図１から図８によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、図１及び図４の上側を表側とし、同図下側を裏側とする。
【００１４】
液晶表示装置１０は、図１に示すように、画像を表示可能な液晶パネル（表示パネル）１１と、液晶パネル１１に対して裏側（入光側）に配されて液晶パネル１１に表示のための光を照射する外部光源であるバックライト装置（照明装置）１２と、を少なくとも備える。このうち、液晶パネル１１は、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタやカラーフィルタ間を仕切るブラックマトリクスの他に配向膜等が設けられている。なお、両ガラス基板の外側にはそれぞれ偏光板が配されている。
【００１５】
続いて、バックライト装置１２について詳しく説明する。バックライト装置１２は、図１に示すように、光源であるＬＥＤ１３と、ＬＥＤ１３が実装されたＬＥＤ基板（光源基板）１４と、ＬＥＤ基板１４の表面を覆うよう配されて光を反射する反射シート１５と、ＬＥＤ１３と間隔を空けて対向状に配される光学シート（光学部材）１６と、を備える。このように、本実施形態に係るバックライト装置１２は、液晶パネル１１及び光学シート１６の直下位置にＬＥＤ１３が配されており、いわゆる直下型とされる。なお、バックライト装置１２は、光学シート１６の外周端部を保持する枠状のフレーム（図示せず）を備えるのが好ましい。以下では、バックライト装置１２の各構成部品について詳しく説明する。
【００１６】
ＬＥＤ１３は、図１及び図２に示すように、ＬＥＤ基板１４の板面内においてＸ軸方向及びＹ軸方向に沿って複数ずつ間隔を空けてマトリクス状（行列状）に並んで配されている。ＬＥＤ１３は、その頂面に配されて光学シート１６と対向するトップ発光面１３Ａと、側面に配されるサイド発光面１３Ｂと、を有する。ＬＥＤ１３は、平面形状が方形であることから、サイド発光面１３Ｂを４つ有する。ＬＥＤ１３は、各発光面１３Ａ，１３Ｂがそれぞれ平坦状とされる。ＬＥＤ１３の詳しい構造については後に詳しく説明する。
【００１７】
ＬＥＤ基板１４は、図１に示すように、反射シート１５や光学シート１６の板面に並行する板面を有する板状をなしている。ＬＥＤ基板１４は、表側の板面が反射シート１５及び光学シート１６の板面と対向状をなしており、ここが上記したＬＥＤ１３が表面実装される実装面１４Ａとされる。ＬＥＤ基板１４の実装面１４Ａには、銅箔などの金属膜からなる配線パターン（図示せず）が形成され、その配線パターンによって各ＬＥＤ１３への給電がなされる。
【００１８】
反射シート１５は、合成樹脂製とされ、表面が光の反射性に優れた白色を呈している。反射シート１５は、図１に示すように、ＬＥＤ基板１４の実装面１４Ａをほぼ全域にわたって表側から覆う形で積層されており、各ＬＥＤ１３と重畳する位置に各ＬＥＤ１３を個別に通すためのＬＥＤ挿通孔１５Ａが開口形成されている。ＬＥＤ挿通孔１５Ａは、ＬＥＤ基板１４における各ＬＥＤ１３と整合するようＸ軸方向及びＹ軸方向に沿って複数ずつ間隔を空けてマトリクス状に並んで配されている。
【００１９】
光学シート１６は、図１に示すように、液晶パネル１１やＬＥＤ基板１４などの板面に並行する板面を有するシート状をなしている。光学シート１６は、Ｚ軸方向について液晶パネル１１とＬＥＤ１３との間に介在する配置とされており、ＬＥＤ１３から発せられた光に所定の光学作用を付与しつつ液晶パネル１１に向けて出射させる機能を有する。光学シート１６は、ＬＥＤ基板１４の実装面１４Ａと対向状をなす裏側の板面が、光が入射される入光面とされるのに対し、液晶パネル１１と対向状をなす表側の板面が、光が出射される出光面とされる。光学シート１６には、互いに積層される４枚が含まれており、裏側から順に拡散シート１７、透光機能付き反射シート（透光機能付き反射板材）１８、第１レンズシート１９、第２レンズシート２０とされる。拡散シート１７は、ほぼ透明な合成樹脂製の基材中に光を拡散させるための拡散粒子を多数分散配合した構成とされている。２枚のレンズシート１９，２０は、ほぼ透明な合成樹脂製の基材における板面にＸ軸方向またはＹ軸方向に沿って延在する単位レンズを、その延在方向と直交する方向（Ｙ軸方向またはＸ軸方向）について多数並べて設けた構成とされており、入射光に対して単位レンズの並び方向について選択的に集光作用を付与するものである。
【００２０】
透光機能付き反射シート１８について詳しく説明する。透光機能付き反射シート１８は、図１に示すように、ＬＥＤ１３に対して表側に間隔を空けて対向状に配される光透過板２１と、光透過板２１の板面に設けられた光反射部２２と、からなる。光透過板２１は、ほぼ透明な合成樹脂製（例えばアクリル樹脂製）とされ、光（可視光線）を透過するものである。光透過板２１は、ＬＥＤ１３と平面に視て重畳するＬＥＤ重畳領域（光源重畳領域）２３と、ＬＥＤ１３とは平面に視て非重畳とされてＬＥＤ重畳領域２３の周りに配されるＬＥＤ周辺領域（光源周辺領域）２４と、に区分される。光反射部２２は、光透過率よりも光反射率が高い白色を呈するインク（白色塗料）からなる。光反射部２２は、光透過板２１における裏側の板面（入光面）に対して例えばスクリーン印刷、インクジェット装置やディスペンサ装置を用いた印刷、グラビア印刷などにより印刷形成される。それ以外にも、光反射部２２を蒸着法などにより形成することも可能である。光反射部２２は、図３に示すように、複数の光反射ドット２２Ａからなり、ＬＥＤ１３からの距離に応じてその分布が変化するようパターニングされている。具体的には、光反射部２２を構成する光反射ドット２２Ａは、平面形状が例えば円形とされており、平面に視たＬＥＤ１３からの距離が短くなるほど径寸法が大きくなり、逆にＬＥＤ１３からの距離が長くなるほど径寸法が小さくなる。これにより、光透過板２１の板面における光反射部２２の分布密度は、ＬＥＤ重畳領域２３では相対的に高くなり、ＬＥＤ周辺領域２４では相対的に低くなる。逆に言うと、光透過板２１の板面における光反射部２２の非形成領域の面積比率は、ＬＥＤ重畳領域２３では相対的に低くなり、ＬＥＤ周辺領域２４では相対的に高くなる。なお、光透過板２１における光反射部２２の非形成領域は、光反射部２２による反射作用を付与することなく、光をそのまま透過させる光透過部である、と言える。このような構成によれば、ＬＥＤ１３からＬＥＤ重畳領域２３へ向かう光Ｌ１の多くが高い分布密度の光反射部２２により反射され、ＬＥＤ重畳領域２３を透過し難くなるのに対し、ＬＥＤ１３からＬＥＤ周辺領域２４へ向かう光Ｌ２やＬＥＤ重畳領域２３にて光反射部２２により反射されてＬＥＤ周辺領域２４へ向かう光が低い分布密度の光反射部２２により反射され難いのでＬＥＤ周辺領域２４を透過し易くなっている。これにより、ＬＥＤ重畳領域２３の出射光量とＬＥＤ周辺領域２４の出射光量とに差が生じ難くなり、もって輝度ムラが生じ難くなる。
【００２１】
ところで、既述した通り、光反射部２２は、光の大部分を反射し、一部を透過するものであるが、光反射部２２の材料特性によっては、光反射部２２の透過光や反射光に色ムラが生じるおそれがある。本実施形態では、反射光については青色味を帯びるような色ムラが生じ、透過光が黄色味を帯びるような色ムラが生じる傾向の特性を有する材料（例えば酸化チタン、硫酸バリウム、酸化亜鉛など）を光反射部２２に用いている。具体的には、本実施形態に係る光反射部２２は、光透過率に波長依存性を有しており、黄色に属する波長領域（例えば５８０ｎｍ〜６００ｎｍ）の光については選択的に光透過率が高く（光吸収率が低く）、黄色以外の色（青色や赤色）に属する波長領域の光については光透過率が低く（光吸収率が高く）なっている。一方、本実施形態に係る光反射部２２は、光反射率に波長依存性を有しており、青色に属する波長領域（例えば４２０ｎｍ〜５００ｎｍ）の光については選択的に光反射率が高く（光吸収率が低く）、青色以外の色（緑色や赤色）に属する波長領域の光については光反射率が低く（光吸収率が高く）なっている。このように、光反射部２２は、透過光及び反射光に呈色作用を付与するため、光透過板２１の出射光に色ムラが生じるおそれがある。
【００２２】
そこで、本実施形態に係るバックライト装置１２に備わるＬＥＤ１３には、図４に示すように、ＬＥＤ１３からＬＥＤ周辺領域２４へ向かう光Ｌ２を、光反射部２２の透過光が呈する色味である黄色と同色の関係である黄色となる色味に呈色させる呈色部２５が設けられている。呈色部２５は、ほぼ透明な合成樹脂材料に黄色を呈する色素を所定の含有濃度で含有させてなる。この色素は、黄色に属する波長領域以外の波長領域の光（青色光や緑色光や赤色光）を選択的に吸収するものである。ここで、ＬＥＤ１３の詳しい構成について説明する。ＬＥＤ１３は、ＬＥＤ基板１４の実装面１４Ａに固着される基板部２６と、基板部２６に実装されるＬＥＤ素子（半導体発光素子）２７と、ＬＥＤ素子２７を封止する封止材２８と、を少なくとも有する。ＬＥＤ素子２７は、例えばＩｎＧａＮなどの半導体材料からなる半導体であり、順方向に電圧が印加されることで青色に属する波長領域（例えば４２０ｎｍ〜５００ｎｍ）に含まれる波長の単色光（青色単色光）を発する。封止材２８は、ほぼ透明な熱硬化性樹脂材料（例えば、エポキシ樹脂材料、シリコーン樹脂材料など）からなる基材に、蛍光体を分散配合してなる。封止材２８に含まれる蛍光体は、ＬＥＤ素子２７からの青色の光をそれよりも長波長の光に波長変換するものであり、具体的には例えば波長変換により緑色光を発する緑色蛍光体、波長変換により赤色光を発する赤色蛍光体、波長変換により黄色光を発する黄色蛍光体などが含まれる。ＬＥＤ１３は、ＬＥＤ素子２７が発する青色光と、封止材２８に含まれる蛍光体が発する光と、によって全体として概ね白色を呈する光を発するのであるが、本実施形態では、やや青色味を帯びた白色光を発するよう、封止材２８に含まれる蛍光体の含有量などを調整している。
【００２３】
このような構成のＬＥＤ１３において、呈色部２５は、図４及び図５に示すように、サイド発光面１３Ｂに設けられている。呈色部２５は、ＬＥＤ１３における４つのサイド発光面１３Ｂの全てに設けられており、封止材２８を平面に視て全周にわたって取り囲む配置とされている。ＬＥＤ１３は、図４に示すように、トップ発光面１３Ａから発せられた光が主に光透過板２１のＬＥＤ重畳領域２３へ向けて、サイド発光面１３Ｂから発せられた光が主に光透過板２１のＬＥＤ周辺領域２４へ向けて、それぞれ直接的に照射される。このうちのサイド発光面１３Ｂに呈色部２５を設けることで、サイド発光面１３Ｂから光透過板２１のＬＥＤ周辺領域２４へ向かう光Ｌ２に対して確実に呈色部２５の呈色作用を付与することができる。ＬＥＤ１３内において封止材２８から呈色部２５へ供給される光は、既述した通り青色味を帯びた白色光であり、呈色部２５により黄色味を帯びるよう呈色作用が付与されることで、やや黄色味を帯びた白色光となる。従って、ＬＥＤ１３のうちのトップ発光面１３ＡからＬＥＤ重畳領域２３へ向けて発せられる光Ｌ１は、封止材２８による呈色作用により青色味を帯びた白色光とされるのに対し、サイド発光面１３ＢからＬＥＤ周辺領域２４へ向けて発せられる光Ｌ２は、呈色部２５による呈色作用によりやや黄色味を帯びた白色光とされる。ＬＥＤ１３のトップ発光面１３ＡからＬＥＤ重畳領域２３へ向かう光Ｌ１は、ＬＥＤ重畳領域２３において高い分布密度で設けられた光反射部２２を透過する際に黄色味を帯びるものの、その元は封止材２８による呈色作用により青色味を帯びた白色光であることから、ＬＥＤ重畳領域２３の出射光Ｌ３は、特定の色味を帯びることが殆どない白色光となる。一方、ＬＥＤ１３におけるサイド発光面１３ＢからＬＥＤ周辺領域２４へ向けて発せられる光Ｌ２は、ＬＥＤ周辺領域２４において低い分布密度で設けられた光反射部２２を僅かしか透過せず、光反射部２２による透過時の呈色作用を受け難い傾向にある。ところが、ＬＥＤ周辺領域２４に供給される光には、ＬＥＤ重畳領域２３にて光反射部２２により反射されてから反射シート１５と光反射部２２との間で繰り返し反射されたものが含まれており、その繰り返し反射された光は、光反射部２２による反射時の呈色作用を受けていて青色味を帯びている。これに対し、ＬＥＤ１３におけるサイド発光面１３ＢからＬＥＤ周辺領域２４へ向けて発せられる光Ｌ２は、やや黄色味を帯びた白色光であるから、ＬＥＤ周辺領域２４の出射光Ｌ４は、特定の色味を帯びることが殆どない白色光となる。以上のように、ＬＥＤ重畳領域２３の出射光Ｌ３と、ＬＥＤ周辺領域２４の出射光Ｌ４と、がそれぞれ特定の色味を帯びることが殆どない白色光とされるので、色味の差が殆どなく、もって透光機能付き反射シート１８並びにバックライト装置１２の出射光に色ムラが生じ難くなる。しかも、バックライト装置１２の出射光が特定の色味を帯びることが殆どない均一な白色光とされることで、その出射光を利用して表示を行う液晶パネル１１における表示階調に係る設定が容易になり、利便性などに優れる。なお、本実施形態に係る封止材２８は、ＬＥＤ１３からＬＥＤ重畳領域２３へ向かう光Ｌ１を、呈色部２５が呈する色味（黄色味）とは補色の関係となる色味（青色味）に呈色させる第２の呈色部２９である、と言える。
【００２４】
ここで、光反射部２２及び呈色部２５による呈色作用の関係性について詳しく説明する。好ましくは、光反射部２２及び呈色部２５は、光の透過率について実質的に同じ波長依存性を有する。具体的には、まず、光反射部２２の分光透過特性について図６を用いて説明する。図６は、光反射部２２の分光透過率を表すグラフであり、横軸が光の波長（単位は「ｎｍ」）を、縦軸が分光透過率（無単位）を、それぞれ示す。図６によれば、光反射部２２は、５８０ｎｍ〜６００ｎｍの波長領域、つまり黄色に属する波長領域において分光透過率が最も高く、それ以外の波長領域における分光透過率が低くなっていて、４２０ｎｍ〜５００ｎｍの波長領域、つまり青色に属する波長領域において分光透過率が最も低い傾向であることが分かる。続いて、ＬＥＤ１３の発光特性について図７を用いて説明する。図７は、呈色部２５を除いたＬＥＤ１３の発光スペクトルを表すグラフであり、横軸が光の波長（単位は「ｎｍ」）を、縦軸が発光強度（無単位）を、それぞれ示す。図７によれば、ＬＥＤ１３は、青色に属する波長領域において発光強度が最も高く、それ以外の波長領域（４８０ｎｍ〜７８０ｎｍ）、つまり緑色に属する波長領域、黄色に属する波長領域及び赤色に属する波長領域における発光強度がいずれも低くなっている。このような発光スペクトルを有するＬＥＤ１３の光が光反射部２２を透過すると、図８に示される分光透過特性の光となる。図８は、光反射部２２の透過スペクトルを表すグラフであり、横軸が光の波長（単位は「ｎｍ」）を、縦軸が透過光強度（無単位）を、それぞれ示す。なお、図８には、ＬＥＤ１３の発光スペクトルに係るグラフが破線により表されている。図８によれば、ＬＥＤ１３から発せられた光が光反射部２２を透過すると、青色に属する波長領域における透過光強度が局所的に低くなることが分かる。このため、光反射部２２の透過光、つまり光透過板２１のＬＥＤ重畳領域２３の出射光Ｌ３は、黄色味を帯びるのである。これに対し、呈色部２５は、図６に示される光反射部２２と実質的に同一の分光透過特性を有するようにする。このようにすれば、ＬＥＤ１３において封止材２８から呈色部２５を透過してサイド発光面１３Ｂから発せられる光は、図８に示される分光透過特性の光となる。従って、光透過板２１のＬＥＤ周辺領域２４の出射光Ｌ４は、ＬＥＤ重畳領域２３の出射光Ｌ３とほぼ同色を呈することになり、色味の差が殆ど解消されることになる。なお、呈色部２５の分光透過特性は、光反射部２２の分光透過特性と完全一致するのが最も好ましいが、必ずしも完全一致する必要はなく、要は色味の差が十分に緩和される効果が得られるのであれば、分光透過特性が多少異なっていても実質的に同じ分光透過特性である、と言える。具体的には、呈色部２５の分光透過特性と、光反射部２２の分光透過特性と、が例えば±１０％の範囲内でずれていたとしても、色味の差が十分に緩和される効果が確認できることから、±１０％の範囲内のずれは「実質的に同一」に含まれる、と言える。
【００２５】
以上説明したように本実施形態のバックライト装置（照明装置）１２は、ＬＥＤ（光源）１３と、ＬＥＤ１３と間隔を空けて対向状に配されて光を透過する光透過板２１と、光透過板２１の板面に設けられて光の透過率よりも光の反射率が高く且つ少なくとも透過光が特定の色味を帯びる光反射部２２と、ＬＥＤ１３に設けられる呈色部２５と、を有するバックライト装置１２であって、光透過板２１は、ＬＥＤ１３と重畳するＬＥＤ重畳領域（光源重畳領域）２３とＬＥＤ重畳領域２３の周りに配されるＬＥＤ周辺領域（光源周辺領域）２４とに区分され、光反射部２２は、ＬＥＤ周辺領域２４よりもＬＥＤ重畳領域２３での分布密度が高くなるよう設けられ、呈色部２５は、ＬＥＤ１３からＬＥＤ周辺領域２４へ向かう光Ｌ２を特定の色味と同色の関係となる色味に呈色させる。
【００２６】
このように、光反射部２２は、光透過板２１の板面においてＬＥＤ周辺領域２４よりもＬＥＤ重畳領域２３での分布密度が高くなるよう設けられているので、ＬＥＤ１３からＬＥＤ重畳領域２３へ向かう光Ｌ１の多くが光反射部２２により反射され、ＬＥＤ重畳領域２３を透過し難くなっている。一方、光透過板２１のＬＥＤ周辺領域２４では、ＬＥＤ重畳領域２３よりも光反射部２２の分布密度が低くなっているので、ＬＥＤ１３からＬＥＤ周辺領域２４へ向かう光Ｌ２やＬＥＤ重畳領域２３にて光反射部２２により反射されてＬＥＤ周辺領域２４へ向かう光がＬＥＤ周辺領域２４を透過し易くなっている。これにより、ＬＥＤ重畳領域２３の出射光量とＬＥＤ周辺領域２４の出射光量とに差が生じ難くなり、もって輝度ムラが生じ難くなる。
【００２７】
ここで、光反射部２２は、少なくとも透過光が特定の色味を帯びる特性を有しているため、光透過板２１の出射光に色ムラが生じるおそれがある。これに対し、ＬＥＤ１３には、ＬＥＤ１３からＬＥＤ周辺領域２４へ向かう光Ｌ２を呈色させる呈色部２５が設けられている。詳しくは、呈色部２５は、ＬＥＤ１３からＬＥＤ周辺領域２４へ向かう光Ｌ２を特定の色味と同色の関係となる色味に呈色させる。ＬＥＤ周辺領域２４では光反射部２２が低い分布密度で設けられるため、ＬＥＤ１３からＬＥＤ周辺領域２４へ向かう光Ｌ２は、光反射部２２を僅かしか透過せず、光反射部２２による呈色作用を受け難い傾向にある。これに対し、ＬＥＤ１３からＬＥＤ周辺領域２４へ向かう光Ｌ２を呈色部２５により特定の色味と同色の関係となる色味に呈色させるようにすれば、ＬＥＤ周辺領域２４の出射光Ｌ４と、ＬＥＤ重畳領域２３において高い分布密度で設けられた光反射部２２を透過する際に特定の色味を帯びるＬＥＤ重畳領域２３の出射光Ｌ３と、の間に生じ得る色味の差が緩和される。以上により、当該バックライト装置１２の出射光に色ムラが生じ難くなる。
【００２８】
また、ＬＥＤ１３に設けられる第２の呈色部２９を有しており、呈色部２５がＬＥＤ１３からＬＥＤ周辺領域２４へ向かう光を特定の色味と同色の関係となる色味に呈色させる場合には、第２の呈色部２９は、ＬＥＤ１３からＬＥＤ重畳領域２３へ向かう光Ｌ１を特定の色味と補色の関係となる色味に呈色させる第２の呈色部２９を備える。このようにすれば、第２の呈色部によりＬＥＤ重畳領域２３の出射光Ｌ３の色味を白色化することができる。これにより、当該バックライト装置１２の出射光の色ムラが抑制され且つ十分に白色化されているから、利便性などに優れる。
【００２９】
また、光反射部２２及び呈色部２５は、光の透過率に実質的に同じ波長依存性を有する。このようにすれば、光反射部２２は、特定の波長領域の光の透過率が他の波長領域の光の透過率よりも高くなる場合は、光反射部２２の透過光が特定の色味を帯びることになる。これに対し、呈色部２５は、光の透過率に波長依存性を有しているが、その波長依存性が光反射部２２の光の透過率と実質的に同じとされているので、ＬＥＤ重畳領域２３の出射光Ｌ３と、ＬＥＤ周辺領域２４の出射光Ｌ４と、の間に生じ得る色味の差をより好適に緩和することができる。
【００３０】
また、呈色部２５は、特定の波長領域の光を選択的に吸収する色素を有する。このようにすれば、仮に呈色部が特定の波長領域の光を選択的に反射する誘電体多層膜を有する場合に比べると、低コスト化を図る上で好適となる。
【００３１】
また、呈色部２５は、ＬＥＤ１３に設けられている。このようにすれば、ＬＥＤ１３から発せられる光に呈色部２５による呈色作用を付与した上で、光透過板２１におけるＬＥＤ重畳領域２３またはＬＥＤ周辺領域２４へ向かわせることができる。
【００３２】
また、ＬＥＤ１３は、主にＬＥＤ重畳領域２３を指向する光を発するトップ発光面１３Ａと、主にＬＥＤ周辺領域２４を指向する光を発するサイド発光面１３Ｂと、を有しており、呈色部２５は、サイド発光面１３Ｂに配される。このようにすれば、ＬＥＤ１３のトップ発光面１３Ａから発せられた光は、主に光透過板２１のＬＥＤ重畳領域２３へ向かうのに対し、ＬＥＤ１３のサイド発光面１３Ｂから発せられた光は、主に光透過板２１のＬＥＤ周辺領域２４へ向かう。呈色部２５は、サイド発光面１３Ｂに配されているので、仮に呈色部をサイド発光面１３ＢよりもＬＥＤ１３の内側に配置した場合に比べると、ＬＥＤ１３からＬＥＤ周辺領域２４へ向かう光Ｌ２に対して確実に呈色作用を付与することができる。また、呈色部２５を既存のＬＥＤ１３に対して外付けする形で設置する場合に好適である。
【００３３】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光の色ムラが抑制されたものとなっているから、優れた表示品位が得られる。
【００３４】
＜実施形態２＞
本発明の実施形態２を図９によって説明する。この実施形態２では、呈色部１２５の構成を変更したものを示す。なお、上記した実施形態１と同様の構造、作用及び効果について重複する説明は省略する。
【００３５】
本実施形態に係る呈色部１２５は、図９に示すように、光反射部１２２の透過光が呈する色味である黄色と同色の関係である黄色に属する波長領域の光を選択的に反射する誘電体多層膜を有する。呈色部１２５が有する誘電体多層膜は、例えば可視光の波長の１／４の厚みで且つ屈折率が異なる誘電体層を多数積層した構造とされる。本実施形態では、誘電体多層膜は、黄色以外の波長領域の光についてはほぼ透過するものの、黄色に属する波長領域の光については選択的に反射して出光を抑制することができる。これにより、ＬＥＤ１１３のうち呈色部１２５が設けられたサイド発光面１１３ＢからＬＥＤ周辺領域へ向けて発せられた光Ｌ２は、やや黄色味を帯びた白色光となる。
【００３６】
以上説明したように本実施形態によれば、呈色部１２５は、特定の波長領域の光を選択的に反射する誘電体多層膜を有する。このようにすれば、仮に呈色部が特定の波長領域の光を選択的に吸収する色素を有する場合に比べると、光の利用効率が高くなる。
【００３７】
＜実施形態３＞
本発明の実施形態３を図１０によって説明する。この実施形態３では、上記した実施形態１から呈色部２２５の設置対象を変更したものを示す。なお、上記した実施形態１と同様の構造、作用及び効果について重複する説明は省略する。
【００３８】
本実施形態に係る呈色部２２５は、図１０に示すように、ＬＥＤ２１３ではなく、光透過板２２１に設けられている。呈色部２２５は、光透過板２２１の両板面のうち、裏側の板面、つまり光反射部２２２と同じ板面に設けられている。呈色部２２５は、光透過板２２１の裏側の板面において光反射部２２２の非形成領域に設けられている。つまり、光透過板２２１の裏側の板面には、光反射部２２２の形成領域と、呈色部２２５の形成領域と、が相補的に設けられている。呈色部２２５は、光透過板２２１の板面においてＬＥＤ重畳領域２２３よりもＬＥＤ周辺領域２２４での分布密度が高くなるよう設けられている。好ましくは、呈色部２２５は、光反射部２２２と同じ印刷法または蒸着法により光透過板２２１の板面に形成されている。呈色部２２５を光透過板２２１に設けるのに伴い、上記した実施形態１からＬＥＤ２１３の構成が変更されている。ＬＥＤ２１３は、第２の呈色部２２９である封止材２２８の呈色作用によりやや青色味を帯びた白色光を、トップ発光面２１３Ａ及びサイド発光面２１３Ｂの双方から発する。ＬＥＤ２１３のトップ発光面２１３Ａから光透過板２２１のＬＥＤ重畳領域２２３へ向かう光Ｌ１は、光反射部２２２を透過する際に光反射部２２２の呈色作用を付与されて特定の色味を帯びることが殆どない白色光となる。一方、ＬＥＤ２１３のサイド発光面２１３Ｂから光透過板２２１のＬＥＤ周辺領域２２４へ向かう光Ｌ２やＬＥＤ重畳領域２２３にて光反射部２２２により反射されてＬＥＤ周辺領域２２４に到達した光は、ＬＥＤ重畳領域２２３よりも高い分布密度で設けられた呈色部２２５を透過する際に黄色味を帯びるよう呈色作用が付与されることで、特定の色味を帯びることが殆どない白色光となる。このように、ＬＥＤ重畳領域２２３の出射光Ｌ３と、ＬＥＤ周辺領域２２４の出射光Ｌ４と、が共に特定の色味を帯びることが殆どない白色光となるので、色ムラが好適に抑制される。また、本実施形態に係る透光機能付き反射シート２１８は、他の光学シート２１７，２１９，２２０に対して最も裏側に配されている。
【００３９】
以上説明したように本実施形態によれば、光透過板２２１に設けられる呈色部２２５は、ＬＥＤ２１３からＬＥＤ周辺領域２２４へ向かう光Ｌ２を特定の色味と同色の関係となる色味に呈色させる。このようにすれば、ＬＥＤ２１３から発せられた光が光透過板２２１に達すると、呈色部２２５により呈色作用が付与される。光透過板２２１は、ＬＥＤ２１３に比べると、大型の部品であることから、仮に呈色部をＬＥＤ２１３に設けるようにした場合に比べると、呈色部２２５の設置に係るコストを低く抑えることができる。特に、ＬＥＤ２１３の設置数が多い場合に有効である。
【００４０】
また、呈色部２２５は、光透過板２２１において光反射部２２２と同じ板面に設けられている。仮に呈色部と光反射部とを光透過板２２１における異なる板面に設けた場合には、製造された光透過板２２１を当該バックライト装置２１２に組み付けるまでの間、両板面を保護する必要があるものの、呈色部２２５及び光反射部２２２が光透過板２２１における同じ板面に設けられていれば、そのような必要がなく、製造コストの低下を図る上で好適となる。
【００４１】
また、呈色部２２５は、光透過板２２１において光反射部２２２の非形成領域に設けられている。このようにすれば、仮に呈色部を光反射部２２２と重なるよう設けた場合に比べると、光透過板２２１の板面を平滑化する上で好適となり、また光透過板２２１を薄く保つ上でも好適となる。
【００４２】
＜実施形態４＞
本発明の実施形態４を図１１によって説明する。この実施形態４では、上記した実施形態１からＬＥＤ３１３の構成を変更したものを示す。なお、上記した実施形態１と同様の構造、作用及び効果について重複する説明は省略する。
【００４３】
本実施形態に係るＬＥＤ３１３は、図１１に示すように、ＬＥＤ素子３２７が発する青色光と、封止材３２８に含まれる蛍光体が発する光と、によって特定の色味を帯びることが殆どない白色光を発するよう、封止材３２８に含まれる蛍光体の含有量などが調整されている。つまり、本実施形態に係る封止材３２８は、上記した実施形態１に記載した「第２の呈色部」としては機能することがない。従って、ＬＥＤ３１３のトップ発光面３１３Ａから光透過板３２１のＬＥＤ重畳領域３２３へ向かう光Ｌ１は、特定の色味を帯びることが殆どない白色光となる。そして、上記した光Ｌ１は、光透過板３２１のＬＥＤ重畳領域３２３において高い分布密度で設けられた光反射部３２２を透過する際に呈色作用を付与されるので、ＬＥＤ重畳領域３２３の出射光Ｌ３は、やや黄色味を帯びた白色光となる。一方、ＬＥＤ３１３のサイド発光面３１３Ｂから光透過板３２１のＬＥＤ周辺領域３２４へ向かう光Ｌ２は、呈色部３２５による呈色作用を付与されるので、やや黄色味を帯びた白色光となる。そして、ＬＥＤ周辺領域３２４に到達する光には上記した光Ｌ２に加えてＬＥＤ重畳領域３２３にて光反射部３２２により反射された光が含まれるものの、ＬＥＤ重畳領域３２３の出射光Ｌ３は、やや黄色味を帯びた白色光となる。このように、ＬＥＤ重畳領域３２３の出射光Ｌ３と、ＬＥＤ周辺領域３２４の出射光Ｌ４と、が共にやや黄色味を帯びた白色光となるので、色ムラが好適に抑制される。
【００４４】
＜参考例１＞
参考例１を図１２によって説明する。この参考例１では、上記した実施形態１から光反射部４２２の特性などを変更したものを示す。なお、上記した実施形態１と同様の構造、作用及び効果について重複する説明は省略する。
【００４５】
本参考例に係る光反射部４２２には、図１２に示すように、透過光については特定の色味を帯びることが殆どないものの、反射光が黄色味を帯びるような色ムラが生じる傾向の特性を有する材料を用いている。具体的には、本参考例に係る光反射部４２２は、光反射率に波長依存性を有しており、黄色に属する波長領域の光については選択的に光反射率が高く（光吸収率が低く）、黄色以外の色（青色や赤色）に属する波長領域の光については光反射率が低く（光吸収率が高く）なっている。このように、光反射部４２２は、反射光に呈色作用を付与するため、光透過板４２１の出射光に色ムラが生じるおそれがある。そこで、本参考例では、ＬＥＤ４１３に、ＬＥＤ４１３からＬＥＤ周辺領域４２４へ向かう光Ｌ２を、光反射部４２２の透過光が呈する色味である黄色と補色の関係である青色となる色味に呈色させる呈色部４２５が設けられている。呈色部４２５は、ほぼ透明な合成樹脂材料に青色を呈する色素を所定の含有濃度で含有させてなる。この色素は、青色に属する波長領域以外の波長領域の光（緑色光や黄色光や赤色光）を選択的に吸収するものである。呈色部４２５は、上記した実施形態１と同様に、ＬＥＤ４１３におけるサイド発光面４１３Ｂに設けられている。
【００４６】
その一方で、ＬＥＤ４１３は、ＬＥＤ素子４２７が発する青色光と、封止材４２８に含まれる蛍光体が発する光と、によって特定の色味を帯びることが殆どない白色光を発するよう、封止材４２８に含まれる蛍光体の含有量などが調整されている。つまり、本参考例に係る封止材４２８は、上記した実施形態１に記載した「第２の呈色部」としては機能することがない。従って、ＬＥＤ４１３のトップ発光面４１３Ａから光透過板４２１のＬＥＤ重畳領域４２３へ向かう光Ｌ１は、特定の色味を帯びることが殆どない白色光となる。そして、上記した光Ｌ１の一部は、光透過板４２１のＬＥＤ重畳領域４２３において高い分布密度で設けられた光反射部４２２を透過する際には呈色作用を付与されないので、ＬＥＤ重畳領域４２３の出射光Ｌ３は、特定の色味を帯びることが殆どない白色光となる。これに対し、光Ｌ１の大部分は、光透過板４２１のＬＥＤ重畳領域４２３において高い分布密度で設けられた光反射部４２２にて反射される際に呈色作用を付与される。この反射光Ｌ５は、反射シート４１５側に戻されてそこで反射されて再び光反射部４２２により反射されることを繰り返すことで、ＬＥＤ周辺領域４２４に達するまでの間に、黄色味が次第に強くなってゆく。
【００４７】
その点、ＬＥＤ４１３のサイド発光面４１３Ｂには、呈色部４２５が設けられているので、ＬＥＤ４１３のサイド発光面４１３ＢからＬＥＤ周辺領域４２４へ向かう光Ｌ２は、呈色部４２５による呈色作用を付与されて青色味を帯びた白色光となっている。従って、ＬＥＤ周辺領域４２４の出射光Ｌ４には、光反射部４２２により繰り返し呈色作用を付与された黄色味を帯びた光と、呈色部４２５による呈色作用を付与されて青色味を帯びた光と、が含まれることになり、全体としては特定の色味を帯びることが殆どない白色光となる。このように、ＬＥＤ重畳領域４２３の出射光Ｌ３と、ＬＥＤ周辺領域４２４の出射光Ｌ４と、が共に特定の色味を帯びることが殆どない白色光となるので、色ムラが好適に抑制される。
【００４８】
以上説明したように本参考例によれば、ＬＥＤ４１３に設けられる呈色部４２５は、ＬＥＤ４１３からＬＥＤ周辺領域４２４へ向かう光Ｌ２を特定の色味と補色の関係となる色味に呈色させる。このようにすれば、ＬＥＤ４１３からＬＥＤ重畳領域４２３へ向かう光Ｌ１は、ＬＥＤ重畳領域４２３において高い分布密度で設けられた光反射部４２２により多くが反射されてＬＥＤ４１３側に戻された後に再び光反射部４２２により反射されることを繰り返してやがてＬＥＤ周辺領域４２４に達する。このため、ＬＥＤ周辺領域４２４に達した光は、光反射部４２２により繰り返し反射されることで特定の色味を帯び易くなっている。これに対し、ＬＥＤ４１３からＬＥＤ周辺領域４２４へ向かう光Ｌ２を呈色部４２５により特定の色味と補色の関係となる色味に呈色させるようにすれば、ＬＥＤ周辺領域４２４の出射光が白色化され、もってＬＥＤ重畳領域４２３の出射光との間に生じ得る色味の差が緩和される。
【００４９】
また、光反射部４２２及び呈色部４２５は、光の透過率または光の反射率に実質的に同じ波長依存性を有する。このようにすれば、光反射部４２２は、特定の波長領域の光の反射率が他の波長領域の光の反射率よりも高くなる場合は、光反射部４２２の反射光が特定の色味を帯びることになる。これに対し、呈色部４２５は、光の透過率に波長依存性を有しているが、その波長依存性が光反射部４２２の光の反射率と実質的に同じとされているので、ＬＥＤ重畳領域４２３の出射光Ｌ３と、ＬＥＤ周辺領域４２４の出射光Ｌ４と、の間に生じ得る色味の差をより好適に緩和することができる。
【００５０】
＜参考例２＞
参考例２を図１３によって説明する。この参考例２では、上記した参考例１から呈色部５２５の設置対象を上記した実施形態３と同様に変更したものを示す。なお、上記した参考例１及び実施形態３と同様の構造、作用及び効果について重複する説明は省略する。
【００５１】
本参考例に係る呈色部５２５は、図１３に示すように、ＬＥＤ５１３ではなく、光透過板５２１に設けられている。呈色部５２５は、上記した実施形態３と同様に、光透過板５２１における光反射部５２２と同じ板面において、光反射部５２２の非形成領域に設けられている。呈色部５２５は、光透過板５２１の板面においてＬＥＤ重畳領域５２３よりもＬＥＤ周辺領域５２４での分布密度が高くなるよう設けられている。呈色部５２５を有さないＬＥＤ５１３は、上記した参考例１と同様に、ＬＥＤ素子５２７が発する青色光と、封止材５２８に含まれる蛍光体が発する光と、によって特定の色味を帯びることが殆どない白色光を発するよう、封止材５２８に含まれる蛍光体の含有量などが調整されている。従って、ＬＥＤ５１３は、特定の色味を帯びることが殆どない白色光を、トップ発光面５１３Ａ及びサイド発光面５１３Ｂの双方から発する。ＬＥＤ５１３のトップ発光面５１３Ａから光透過板５２１のＬＥＤ重畳領域５２３へ向かう光Ｌ１は、その一部が光反射部５２２を透過する際に呈色作用を付与されることなくＬＥＤ重畳領域５２３の出射光Ｌ３となるのに対し、大部分が光反射部５２２により呈色作用を付与されつつ繰り返し反射されて黄色味を帯びた状態でＬＥＤ周辺領域５２４に到達する。ところが、このＬＥＤ周辺領域５２４における光反射部５２２の非形成領域には、ＬＥＤ重畳領域５２３よりも高い分布密度で呈色部５２５が設けられているから、光反射部５２２による反射光Ｌ５は、呈色部５２５を透過する際に青色味を帯びるよう呈色作用が付与されることで、特定の色味を帯びることが殆どない白色光となる。一方、ＬＥＤ５１３のサイド発光面５１３Ｂから光透過板５２１のＬＥＤ周辺領域５２４へ向かう光Ｌ２は、特定の色味を帯びることが殆どない白色光となっている。このように、ＬＥＤ重畳領域５２３の出射光Ｌ３と、ＬＥＤ周辺領域５２４の出射光Ｌ４と、が共に特定の色味を帯びることが殆どない白色光となるので、色ムラが好適に抑制される。
【００５２】
以上説明したように本参考例によれば、光透過板５２１に設けられる呈色部５２５は、ＬＥＤ５１３からＬＥＤ周辺領域５２４へ向かう光Ｌ２を特定の色味と補色の関係となる色味に呈色させる。このようにすれば、ＬＥＤ５１３からＬＥＤ重畳領域５２３へ向かう光Ｌ１は、ＬＥＤ重畳領域５２３において高い分布密度で設けられた光反射部５２２により多くが反射されてＬＥＤ５１３側に戻された後に再び光反射部５２２により反射されることを繰り返してやがてＬＥＤ周辺領域５２４に達する。このため、ＬＥＤ周辺領域５２４に達した光は、光反射部５２２により繰り返し反射されることで特定の色味を帯び易くなっている。これに対し、ＬＥＤ５１３からＬＥＤ周辺領域５２４へ向かう光Ｌ２を呈色部５２５により特定の色味と補色の関係となる色味に呈色させるようにすれば、ＬＥＤ周辺領域５２４の出射光が白色化され、もってＬＥＤ重畳領域５２３の出射光との間に生じ得る色味の差が緩和される。
【００５３】
＜参考例３＞
参考例３を図１４によって説明する。この参考例３では、上記した参考例１からＬＥＤ６１３の構成を変更したものを示す。なお、上記した参考例１と同様の構造、作用及び効果について重複する説明は省略する。
【００５４】
本参考例に係るＬＥＤ６１３は、図１４に示すように、ＬＥＤ素子６２７が発する青色光と、封止材６２８に含まれる蛍光体が発する光と、によってやや黄色味を帯びた白色光を発するよう、封止材６２８に含まれる蛍光体の含有量などが調整されている。従って、ＬＥＤ６１３のトップ発光面６１３Ａから光透過板６２１のＬＥＤ重畳領域６２３へ向かう光Ｌ１は、やや黄色味を帯びた白色光となり、その一部が光反射部６２２を透過してそのままＬＥＤ重畳領域６２３の出射光Ｌ３となるのに対し、大部分が光反射部６２２により呈色作用を付与されつつ繰り返し反射されてさらに黄色味を帯びた状態でＬＥＤ周辺領域６２４に到達する。一方、ＬＥＤ６１３のサイド発光面６１３Ｂから光透過板６２１のＬＥＤ周辺領域６２４へ向かう光Ｌ２は、呈色部６２５により青色味を帯びるよう呈色作用を付与されるので、特定の色味を帯びることが殆どない白色光となる。従って、ＬＥＤ周辺領域６２４の出射光Ｌ４には、光反射部６２２により繰り返し呈色作用を付与された強い黄色味を帯びた光と、呈色部６２５による呈色作用を付与されて特定の色味を帯びることが殆どない白色光と、が含まれることになり、全体としてはやや黄色味を帯びた白色光となる。このように、ＬＥＤ重畳領域６２３の出射光Ｌ３と、ＬＥＤ周辺領域６２４の出射光Ｌ４と、が共にやや黄色味を帯びた白色光となるので、色ムラが好適に抑制される。
【００５５】
＜他の実施形態＞
本発明は上記記述及び図面によって説明した実施形態に限定されるものではなく、例えば次のような実施形態も本発明の技術的範囲に含まれる。
（１）上記した実施形態１の変形例として、図１５に示すように、呈色部２５−１をＬＥＤ１３−１のトップ発光面１３Ａ−１に設けるようにしてもよい。この場合、呈色部２５−１は、ＬＥＤ１３−１からＬＥＤ重畳領域２３−１へ向かう光Ｌ１を、光反射部２２−１の透過光が呈する色味である黄色と補色の関係である青色となる色味に呈色させるものである。これに対し、ＬＥＤ１３−１は、ＬＥＤ素子２７−１が発する青色光と、封止材２８−１に含まれる蛍光体が発する光と、によって特定の色味を帯びることが殆どない白色光を発するよう、封止材２８−１に含まれる蛍光体の含有量などが調整されている。このようにすれば、ＬＥＤ１３−１のトップ発光面１３Ａ−１からＬＥＤ重畳領域２３−１へ向かう光Ｌ１は、呈色部２５−１による呈色作用が付与されて青色味を帯びることになり、光反射部２２−１を透過する際には光反射部２２−１により黄色味を帯びるよう呈色作用を付与される。従って、ＬＥＤ重畳領域２３−１の出射光Ｌ３は、特定の色味を帯びることが殆どない白色光となる。一方、ＬＥＤ１３−１のサイド発光面１３Ｂ−１からＬＥＤ周辺領域２４−１へ向かう光Ｌ２は、やや黄色味を帯びた白色光となり、ＬＥＤ周辺領域２４−１の出射光Ｌ４は、特定の色味を帯びることが殆どない白色光となる。以上により、ＬＥＤ重畳領域２３−１の出射光Ｌ３と、ＬＥＤ周辺領域２４−１の出射光Ｌ４と、が共に特定の色味を帯びることが殆どない白色光となる。
（２）上記した参考例１の変形例として、図１６に示すように、呈色部２５−２をＬＥＤ１３−２のトップ発光面１３Ａ−２に設けるようにしてもよい。この場合、呈色部２５−２は、ＬＥＤ１３−２からＬＥＤ重畳領域２３−２へ向かう光Ｌ１を、光反射部２２−２の反射光が呈する色味である黄色と同色の関係である黄色となる色味に呈色させるものである。これに対し、ＬＥＤ１３−２は、ＬＥＤ素子２７−２が発する青色光と、封止材２８−２に含まれる蛍光体が発する光と、によってやや青色味を帯びた白色光を発するよう、封止材２８−２に含まれる蛍光体の含有量などが調整されている。このようにすれば、ＬＥＤ１３−２のトップ発光面１３Ａ−２からＬＥＤ重畳領域２３−２へ向かう光Ｌ１は、呈色部２５−２による呈色作用が付与されて特定の色味を帯びることが殆どない白色光となるので、その一部は光反射部２２−２をそのまま透過してＬＥＤ重畳領域２３−２の出射光Ｌ３となり、大部分は光反射部２２−２により呈色作用を付与されつつ繰り返し反射されてやや黄色味を帯びた状態でＬＥＤ周辺領域２４−２に到達する。一方、ＬＥＤ１３−２のサイド発光面１３Ｂ−２からＬＥＤ周辺領域２４−２へ向かう光Ｌ２は、やや青色味を帯びた白色光となる。従って、ＬＥＤ周辺領域２４−２の出射光Ｌ４には、光反射部２２−２により繰り返し呈色作用を付与された黄色味を帯びた光と、ＬＥＤ１３−２のサイド発光面１３Ｂ−２からのやや青色味を帯びた白色光と、が含まれることになり、全体としては特定の色味を帯びることが殆どない白色光となる。以上により、ＬＥＤ重畳領域２３−２の出射光Ｌ３と、ＬＥＤ周辺領域２４−２の出射光Ｌ４と、が共に特定の色味を帯びることが殆どない白色光となる。
（３）上記した実施形態１から実施形態４では、呈色部が光反射部の透過光が帯びる色味と同色を呈する場合を示したが、必ずしも同色には限られず、同系色を呈するような呈色部を用いることも可能である。
（４）上記した（２）では、呈色部が光反射部の反射光が帯びる色味と同色を呈する場合を示したが、必ずしも同色には限られず、同系色を呈するような呈色部を用いることも可能である。
（５）上記した実施形態２に記載した誘電体多層膜を有する呈色部を、実施形態３及び実施形態４などの構成に適用することも勿論可能である。
（６）上記した実施形態４では、ＬＥＤのサイド発光面に黄色を呈する呈色部を設ける場合を示したが、ＬＥＤのトップ発光面に青色を呈する呈色部を設けることも可能である。その場合、ＬＥＤは、ＬＥＤ素子が発する青色光と、封止材に含まれる蛍光体が発する光と、によって特定の色味を帯びることが殆どない白色光を発するよう、封止材に含まれる蛍光体の含有量などが調整されるのが好ましい。
（７）上記した参考例３では、ＬＥＤのサイド発光面に青色を呈する呈色部を設ける場合を示したが、ＬＥＤのトップ発光面に黄色を呈する呈色部を設けることも可能である。その場合、ＬＥＤは、ＬＥＤ素子が発する青色光と、封止材に含まれる蛍光体が発する光と、によって特定の色味を帯びることが殆どない白色光を発するよう、封止材に含まれる蛍光体の含有量などが調整されるのが好ましい。
（８）上記した実施形態１から実施形態４では、呈色部がＬＥＤのトップ発光面またはサイド発光面に設けられた場合を示したが、呈色部をＬＥＤのトップ発光面及びサイド発光面の双方に設けることも可能である。
（９）上記した各実施形態では、呈色部がＬＥＤまたは光透過板に設けられた場合を示したが、呈色部をＬＥＤ及び光透過板の双方に設けることも可能である。
（１０）上記した実施形態３及び参考例２では、呈色部が光透過板において光反射部と同じ板面に設けられた場合を示したが、呈色部が光透過板において光反射部とは反対側の板面に設けられていても構わない。
（１１）上記した実施形態３及び参考例２では、呈色部が光透過板において光反射部の非形成領域に設けられた場合を示したが、呈色部が光透過板において光反射部の形成領域に設けられていても構わない。その場合、呈色部は、光反射部の形成領域と非形成領域とに跨って設けられてもよいが、専ら光反射部の形成領域に設けられていても構わない。いずれにしても呈色部の少なくとも一部が光反射部と重畳配置されることになる。
（１２）上記した各実施形態では、光反射部が光透過板における裏側（ＬＥＤ側）の板面に設けられた場合を示したが、光反射部を光透過板における表側（ＬＥＤ側とは反対側）の板面に設けることも可能である。
（１３）上記した各実施形態では、光反射部が設けられる光透過板が透過光に特定の光学作用を付与するものでない場合を示したが、光反射部が設けられる光透過板が、例えば透過光に拡散作用を付与する拡散シートや拡散板などであっても構わない。それ以外にも、光透過板は、透過光に集光作用や偏光反射作用などを付与するものであっても構わない。
（１４）上記した各実施形態では、ＬＥＤのトップ発光面及びサイド発光面が共に平坦形状とされる場合を示したが、ＬＥＤのトップ発光面及びサイド発光面の少なくとも一方が湾曲するなど非平坦形状であっても構わない。
（１５）上記した各実施形態以外にも、光学シートの具体的な種類や枚数や積層順は、適宜に変更可能である。また、光学シートに加えて、板厚が例えば３ｍｍ程度と大きな拡散板を用いることも可能である。
（１６）上記した各実施形態では、表示パネルとして液晶パネルを例示したが、他の種類の表示パネル（ＭＥＭＳ（Micro Electro Mechanical Systems）表示パネルなど）にも本発明は適用可能である。
（１７）上記した各実施形態では、光反射部を構成する光反射ドットの平面形状が円形とされる場合を例示したが、光反射部を構成する光反射ドットの具体的な平面形状は、円形以外にも、例えば三角形、四角形、楕円形、長円形、半円形、菱形、台形、五角形以上の多角形などに適宜に変更可能である。
（１８）上記した各実施形態では、光反射部の透過光と反射光とがそれぞれ特定の色味を帯びる材料を光反射部に用いた場合を示したが、透過光については特定の色味を帯びるものの、反射光については特定の色味を帯びることがない材料を光反射部に用いることも可能である。また、透過光や反射光が帯びる色味は、材料によって適宜に変化し得るものである。
【符号の説明】
【００５６】
１０…液晶表示装置（表示装置）、１１…液晶パネル（表示パネル）、１２，２１２…バックライト装置（照明装置）、１３，１３−１，１１３，２１３，３１３…ＬＥＤ（光源）、１３Ａ，１３Ａ−１，２１３Ａ，３１３Ａ…トップ発光面、１３Ｂ，１３Ｂ−１，１１３Ｂ，２１３Ｂ，３１３Ｂ…サイド発光面、２１，２２１，３２１…光透過板、２２，２２−１，１２２，２２２，３２２…光反射部、２３，２３−１，２２３，３２３…ＬＥＤ重畳領域（光源重畳領域）、２４，２４−１，１２４，２２４，３２４…ＬＥＤ周辺領域（光源周辺領域）、２５，２５−１，１２５，２２５，３２５…呈色部、２９，２２９…第２の呈色部
【図１】
2019121547.tif 000003
【図２】
2019121547.tif 000004
【図３】
2019121547.tif 000005
【図４】
2019121547.tif 000006
【図５】
2019121547.tif 000007
【図６】
2019121547.tif 000008
【図７】
2019121547.tif 000009
【図８】
2019121547.tif 000010
【図９】
2019121547.tif 000011
【図１０】
2019121547.tif 000012
【図１１】
2019121547.tif 000013
【図１２】
2019121547.tif 000014
【図１３】
2019121547.tif 000015
【図１４】
2019121547.tif 000016
【図１５】
2019121547.tif 000017
【図１６】
2019121547.tif 000018